(57)【特許請求の範囲】
【請求項１】
互いに発光色が異なる複数のＬＥＤ発光部を有する光源と、
前記複数のＬＥＤ発光部を点灯制御する点灯装置と、
前記光源の光を当てるべき物体を検知するイメージセンサと、
を備え、
前記点灯装置には、前記物体の種類にそれぞれ対応した複数の色温度が設定されており、
前記点灯装置は、前記イメージセンサによって前記物体が検知された場合に、前記光源の光が検知された前記物体の種類に対応する色温度となるように、前記複数のＬＥＤ発光部を点灯制御し、
前記光源は、前記複数のＬＥＤ発光部を覆う透光カバーを有し、
前記透光カバーの縁に沿って前記透光カバーを囲うように設けられた反射カバーを備え、
前記イメージセンサは、角度調整機構付きの取付部材を介して、前記反射カバーの内面に接続された照明装置。
【請求項２】
操作を受け付けるスイッチを備え、
前記点灯装置は、第１の制御回路を含み、
前記第１の制御回路は、前記イメージセンサによって前記物体が検知された場合に前記光源の光が検知された前記物体の種類に対応する色温度となるように前記ＬＥＤ発光部を点灯制御する自動制御と、前記光源の光が前記スイッチの操作により指定された色温度となるように前記ＬＥＤ発光部を点灯制御する非自動制御と、を備え、
前記スイッチの操作に応じて、前記自動制御と前記非自動制御とを切替える請求項１に記載の照明装置。
【請求項３】
前記点灯装置は、第２の制御回路を含み、
前記第２の制御回路は、前記物体の種類と対応させた前記イメージセンサからの信号と前記複数のＬＥＤ発光部を前記物体の種類に対応して設定された色温度で点灯させるための複数の点灯制御内容とを対応付けた対応情報を記憶しており、前記イメージセンサからの信号に応じて前記対応情報の中から点灯制御内容を選択し、選択した点灯制御内容に従って前記複数のＬＥＤ発光部を点灯する請求項１または２に記載の照明装置。
【請求項４】
前記点灯装置と前記イメージセンサは無線接続された請求項１〜３のいずれか１項に記載の照明装置。
【請求項５】
前記点灯装置は、
予め定めた不審物条件と予め定めた対象物不在条件とのうち少なくとも一方の条件を記憶し、
前記イメージセンサからの信号が前記少なくとも一方の条件に該当したときに、管理端末に報知信号を送信する請求項１〜４のいずれか１項に記載の照明装置。
【請求項６】
前記点灯装置は、前記イメージセンサによって前記物体が検知された場合に、前記光源の光が検知された前記物体の種類に対応する色温度となるように前記複数のＬＥＤ発光部を選択的に点灯させるとともに、前記光源の光が予め定められた照度となるように前記複数のＬＥＤ発光部の明るさも調整する請求項１〜５のいずれか１項に記載の照明装置。
【請求項７】
互いに発光色が異なる複数のＬＥＤ発光部と、前記複数のＬＥＤ発光部を覆う透光カバーとを有する光源と、
前記複数のＬＥＤ発光部を互いに異なる明るさに点灯制御する点灯装置と、
前記光源の光を当てるべき物体を検知するイメージセンサと、
前記透光カバーの縁に沿って前記透光カバーを囲うように設けられた反射カバーと、
を備え、
前記点灯装置は、前記イメージセンサからの信号に応じて前記光源の光が予め定められた色温度となるように、前記複数のＬＥＤ発光部を点灯制御し、
前記イメージセンサは、角度調整機構付きの取付部材を介して、前記反射カバーの内面に接続されている照明装置。
【発明の詳細な説明】
【技術分野】
【０００１】
本発明は、照明装置に関する。
【背景技術】
【０００２】
従来、例えば、特開２００８−２１０６６０号公報に開示されているように、蛍光灯と赤色発光ダイオードを使用して、照射光が当たる物品の色の見え方を補正する補正照明装置が知られている。この補正照明装置は、特に食品の照明に適した色補正を行うことを図っている。
【先行技術文献】
【特許文献】
【０００３】
【特許文献１】特開２００８−２１０６６０号公報
【発明の概要】
【発明が解決しようとする課題】
【０００４】
照射光が当たる物品には様々なものがあり、その物品の見せ方に応じて照らすべき光が異なってくる。陳列された商品は、その物品の種類に応じて適切な照射光で照らされることが好ましい。上記従来技術では赤みを帯びた光を用いて視覚的効果を高めているが、このような赤みを帯びた光を照射することが好ましくない商品もある。具体的には、きゅうりおよびレタスなどの野菜に対してあるいは鮮魚に対して赤みを帯びた光を照射すると、これらの食品が変色しているように見え、食品本来の色を見せる効果が不足してしまう。その結果、商品の販売数に影響を及ぼすおそれがある。また、一種類の商品に照射光を最適化しても、商品は様々に入れ替わる可能性がある。例えば店舗改装などで商品の入れ替えを行った際には、以前の照射光が新しい商品には不適切となるおそれがある。
【０００５】
本発明は、上述のような課題を解決するためになされたもので、照射光を当てるべき照射対象物ごとに適切な照射光を発することが可能な照明装置を提供することを目的とする。
【課題を解決するための手段】
【０００６】
本発明にかかる照明装置は、互いに発光色が異なる複数のＬＥＤ発光部を有する光源と、前記複数のＬＥＤ発光部を点灯制御する点灯装置と、前記光源の光を当てるべき物体を検知するイメージセンサと、を備え、前記点灯装置には、前記物体の種類にそれぞれ対応した複数の色温度が設定されており、前記点灯装置は、前記イメージセンサによって前記物体が検知された場合に、前記光源の光が検知された前記物体の種類に対応する色温度となるように、前記複数のＬＥＤ発光部を点灯制御し、前記光源は、前記複数のＬＥＤ発光部を覆う透光カバーを有し、前記透光カバーの縁に沿って前記透光カバーを囲うように設けられた反射カバーを備え、前記イメージセンサは、角度調整機構付きの取付部材を介して、前記反射カバーの内面に接続されたものである。
【発明の効果】
【０００７】
本発明にかかる照明装置によれば、イメージセンサが照射対象物を検知し、その検知結果に応じて予め定めた色温度を得られるように複数のＬＥＤ発光部を点灯制御する。これにより、照射対象物が何であるかを判断した上で、照射対象物ごとの適切な光をつくりだすことができる。
【図面の簡単な説明】
【０００８】
【図１】本発明の実施の形態１にかかる照明装置を示すブロック図である。
【図２】本発明の実施の形態１にかかる照明器具を示す斜視図である。
【図３】本発明の実施の形態１にかかる切替スイッチの一例を示す概観図である。
【図４】本発明の実施の形態１にかかる回路図である。
【図５】本発明の実施の形態２にかかる照明装置を示すブロック図である。
【図６】本発明の実施の形態２にかかる照明器具を示す斜視図である。
【発明を実施するための形態】
【０００９】
実施の形態１．
図１は、本発明の実施の形態１にかかる照明装置１００を示すブロック図である。照明装置１００は、照明器具１０と、イメージセンサ７と、管理端末８を備えている。なお、照射対象物６は、照明器具１０が照らすべき対象となる物、例えば照明器具１０の下方に陳列された商品である。
【００１０】
図２は、本発明の実施の形態１にかかる照明器具１０を示す斜視図である。照明器具１０は、一例としてダウンライトと称される照明器具１０とする。照明器具１０は、複数色のＬＥＤ１〜ＬＥＤ４を有する光源２０と、このＬＥＤ１〜ＬＥＤ４にそれぞれ電力供給して点灯させる点灯装置５と、光源２０の動作モードを切替えるための切替スイッチ９を備える。光源２０は、互いに発光色（色温度）が異なるＬＥＤ１〜ＬＥＤ４を備えている。本実施の形態では、一例として、ＬＥＤ１〜ＬＥＤ４それぞれの色温度が互いに異なり、ＬＥＤ１〜ＬＥＤ４を択一的に点灯させた場合に、４種類の色温度の光を発することができる。なお、ＬＥＤ１〜ＬＥＤ４は、無機化合物半導体材料からなるＬＥＤであってもよく、有機半導体材料からなるいわゆるＯＬＥＤであってもよい。ＬＥＤ１〜ＬＥＤ４のうち一部を無機半導体ＬＥＤとし、残りをＯＬＥＤとしてもよい。光源２０は、図２の斜視図からわかるとおり、複数のＬＥＤ１〜ＬＥＤ４を覆う透光カバー２０ａを有している。この透光カバー２０ａの縁に沿って、光源２０を取り囲むように反射カバー２１が設けられている。反射カバー２１の先端部には、鍔部２１ａが設けられている。この鍔部２１ａに切替スイッチ９が設けられている。
【００１１】
実施の形態１ではイメージセンサ７を照明器具１０とは別の場所に取り付けるので、図２にはイメージセンサ７を図示していない。イメージセンサ７は、商品ケースなどに収納された照射対象物６の種別を検出、判別できる位置に設置される。例えば、イメージセンサ７を商品ケースのいずれかの場所に取り付けてもよく、商品ケースの外部にある他の構造物に取り付けても良い。イメージセンサ７には公知の各種撮像素子を用いることができる。その構造に特に限定は無いが、イメージセンサ７は、例えば、受光素子と、信号処理部と、送信部とを備えている。イメージセンサ７は、受光素子にて照射対象物６をセンサ受光面に結像させ、信号処理部によりその像の明暗を電荷量に光電変換する信号処理を行い、照射対象物６の検出情報を含む信号を送信部にて点灯装置５のマイコン５１（後述する図４を参照）に送信する。イメージセンサ７を使用することによって、照明器具１０が照射している照射対象物６が何であるかを具体的にかつ精度良く検出することができる。
【００１２】
照明器具１０は、コネクタ１１、１２、１３を備えている。コネクタ１１には、点灯装置５に電源を供給するための電線が接続される。コネクタ１２には、点灯装置５にイメージセンサ７からの信号を入力するための電線が接続される。コネクタ１３には、点灯装置５から管理端末８に信号を出力するための電線が接続される。点灯装置５は、照明器具１０のケース内において、コネクタ１１〜１３と接続されている。イメージセンサ７から点灯装置５への入力信号は、コネクタ１２を介して点灯装置５の内部基板のマイコン５１にて受信される。また、点灯装置５の内部基板のマイコン５１からの出力信号が、コネクタ１３を介して、管理端末８へと送信される。
【００１３】
尚、イメージセンサ７からの信号を無線通信で点灯装置５に送信するようにしてもよいし、点灯装置５からの信号を無線通信で管理端末８へ送信するようにしてもよい。このように無線通信でやり取りする場合は、コネクタ１２と、コネクタ１３は省略してもよい。さらに、切替スイッチ９についても無線通信スイッチとして照明器具１０と別の位置に設置してもよい。切替スイッチ９としての無線端末が点灯装置５と無線通信を行うことで、マイコン５１がスイッチ切替動作を実現するようにしてもよい。
【００１４】
図３は、本発明の実施の形態１にかかる切替スイッチの一例を示す概観図である。本実施の形態にかかる切替スイッチ９は、一例として、「パン」、「精肉」、「野菜」、「鮮魚」、および「自動」のいずれかを指定する５段階スライド式のスイッチである。切替スイッチ９のスライド位置が「パン」、「精肉」、「野菜」、「鮮魚」のいずれかにあるかに応じて、ＬＥＤ１〜ＬＥＤ４の点灯状態が、予め定めた複数のＬＥＤ点灯／非点灯組合せパターンの間で切り替わる。一方「自動」に設定された場合には、イメージセンサ７を用いた自動点灯制御が行われる。
【００１５】
図４は、本発明の実施の形態１にかかる回路図である。点灯装置５は、整流回路ＤＢと、ＤＣ−ＤＣコンバータと、平滑回路と、スイッチング素子Ｑ１〜Ｑ４と、マイコン５１とを含むものである。整流回路ＤＢは、入力される商用電源（交流電圧）ＡＣを整流するダイオードブリッジから構成される。ＤＣ−ＤＣコンバータは、この整流回路ＤＢに接続され、整流回路ＤＢから出力される脈流電圧を降圧する。ＤＣ−ＤＣコンバータは公知の各種回路方式を採用できるので特に限定しないが、例えば図４ではトランスＴＲを含む絶縁型ＤＣ−ＤＣコンバータとしてのフライバックコンバータを図示している。図４に示すように、一次巻線および二次巻線を有するトランスＴＲ、この一次巻線に直列接続したスイッチング素子Ｑ０、二次巻線の一端にアノードが接続したダイオード、およびスイッチング素子Ｑ０を制御する制御ＩＣを含むものである。フライバックコンバータの回路構成および動作は公知であるため、詳細な説明は省略する。平滑回路は、ＤＣ−ＤＣコンバータに並列接続された平滑コンデンサであり、具体的には、その一端が上記ダイオードのカソードに接続し、他端がトランスＴＲの二次巻線の他端と接続した平滑コンデンサである。平滑回路により、ＤＣ−ＤＣコンバータが出力する電圧を平滑し、接続されるＬＥＤ１〜ＬＥＤ４に直流の電力を供給することができる。スイッチング素子Ｑ１〜Ｑ４は、ＬＥＤ１〜ＬＥＤ４それぞれと並列に接続している。つまり、スイッチング素子Ｑ１がＬＥＤ１のアノード端とカソード端に並列接続してこの両端の導通と遮断とを切替可能であり、スイッチング素子Ｑ２がＬＥＤ２のアノード端とカソード端に並列接続してこの両端の導通と遮断とを切替可能であり、スイッチング素子Ｑ３がＬＥＤ３のアノード端とカソード端に並列接続してこの両端の導通と遮断とを切替可能であり、スイッチング素子Ｑ４がＬＥＤ４のアノード端とカソード端に並列接続してこの両端の導通と遮断とを切替可能である。ＬＥＤ１のカソード端とＬＥＤ２のアノード端とが接続し、ＬＥＤ３のカソード端とＬＥＤ４のアノード端とが接続している。なお、ＬＥＤの個数を更に増やすときには、追加したＬＥＤに並列接続するスイッチング素子も増やしてこれをマイコン５１で制御すればよい。ここでは、マイコン５１からのＯＦＦ信号によりオフしたいスイッチング素子Ｑ１〜Ｑ４を適宜オフすることによって、オフされたスイッチング素子Ｑ１〜Ｑ４に対応するＬＥＤ１〜ＬＥＤ４は平滑回路からの電荷を放電して点灯させることができる。この時、マイコン５１からのオン信号により選択的にオンされたスイッチング素子Ｑ１〜Ｑ４についてはドレインソース間に電流が流れるため、オンされたスイッチング素子Ｑ１〜Ｑ４に対応するＬＥＤ１〜ＬＥＤ４は点灯させないようにすることができる。
【００１６】
マイコン５１は、イメージセンサ７からの信号および切替スイッチ９からの信号をそれぞれ受信する。マイコン５１は、スイッチング素子Ｑ１〜Ｑ４の制御信号と別々に接続しており、スイッチング素子Ｑ１〜Ｑ４それぞれのオンオフを個別に制御することができる。マイコン５１は、制御ＩＣの制御および管理端末８への信号送信も行うことができる。
【００１７】
マイコン５１は、ＲＡＭ、ＲＯＭなどの記憶部、演算処理を行う演算部、およびデータ入出力を行うための入出力ポートなどを備えている。記憶部には、後述する表２に示すように、予め複数種類の照射対象物６（例えばパン・精肉・野菜・鮮魚など）毎に対応する適切な照度と色温度を定めた情報を記憶させておく。
【００１８】
下記の表１は、ＬＥＤ１〜ＬＥＤ４それぞれの発光色の色温度をまとめた表である。下記の表２は、マイコン５１の記憶部に予め記憶されたテーブルの一例を示す。
【００１９】
【表１】
0006550871.tif 000002
【００２０】
【表２】
0006550871.tif 000003
【００２１】
物体の種類が異なると光源２０が当てる光の適切な照度と色温度が異なるので、表２には複数種類の照射対象物６ごとに、目標色温度と、適切な照度および色温度を得るための「点灯制御内容」とが予め設定されている。この点灯制御内容は、具体的にはスイッチング素子Ｑ１〜Ｑ４それぞれのオンオフ切替パターン、および光源２０に流すために生成すべき出力電流値を含んでいる。表２では、ＤＣ−ＤＣコンバータが基本設定電流値ＩＦに対して何倍の出力電流を生成すべきかを、一例として設定している。マイコン５１は、制御ＩＣとスイッチング素子を、この表２のように制御することにより、光源２０が発する光の色温度および照度を変化させる。
【００２２】
上記の表２に示すテーブルにおいて、スイッチング素子Ｑ１〜Ｑ４のうち「ＯＦＦ（オフ）」となっているスイッチング素子に並列接続したＬＥＤが点灯する。一方、スイッチング素子Ｑ１〜Ｑ４のうち「ＯＮ（オン）」となっているスイッチング素子に並列接続したＬＥＤは、点灯しない。例えば、上記の表２に示すテーブルにおいて、「パン」の場合には、スイッチング素子Ｑ１、Ｑ３がオフとされることで、ＬＥＤ１およびＬＥＤ３が点灯する。この場合、ＬＥＤ１とＬＥＤ３の色温度の平均、つまり（３０００ｋ＋３５００ｋ）／２＝３２５０ｋの色温度を実現することができる。
【００２３】
（イメージセンサ７を用いた自動点灯制御）
イメージセンサ７を用いて照射光を自動制御する場合について説明する。イメージセンサ７から送信された信号を受信すると、マイコン５１は、まず、受信信号から照射対象物６の検出情報を取得する（ステップＳ１００）。マイコン５１の記憶部は、イメージセンサ７の出力信号と照射対象物６との対応関係を予め定めた「対象物情報」を記憶している。ステップＳ１００では、マイコン５１は、イメージセンサ７からの受信信号と上記対象物情報とを比較照合し、イメージセンサ７が検知した対象物がパン、精肉、果物、あるいは鮮魚の何れであるかが特定される。
【００２４】
次に、マイコン５１は、ステップＳ１００での検出情報に基づいて、マイコン５１の記憶部に記憶された表２のごときテーブルから点灯制御情報を読み出す（ステップＳ１０２）。例えば対象物が「パン」である場合には、マイコン５１は、表２のテーブルを参照して、スイッチング素子Ｑ１およびＱ３をオフとしスイッチング素子Ｑ２およびＱ４をオンとすべき点灯制御内容を読み出すとともに、出力電流については「ＩＦ×１」という設定値を読み出す。これにより、今回の照射対象物６に適合する照度と色温度を実現するために必要な点灯制御内容を取得することができる。取得した点灯制御内容に従って、オフにしたスイッチング素子Ｑ１、Ｑ３に対応したＬＥＤ１、ＬＥＤ３をそれぞれ点灯させることになる。なお、スイッチング素子Ｑ２、Ｑ４はオンとしておりスイッチング素子Ｑ２、Ｑ４それぞれのソースドレイン間に電流が流れるので、スイッチング素子Ｑ２、Ｑ４に対応したＬＥＤ２、ＬＥＤ４には電流が流れず、その結果ＬＥＤ２、ＬＥＤ４は点灯しない。
【００２５】
次に、マイコン５１は、ステップＳ１０２で読み出した点灯制御内容および出力電流設定値に従って、点灯装置５を動作させる（ステップＳ１０４）。すなわち、例えば照射対象物６が「パン」である場合には、マイコン５１はスイッチング素子Ｑ１およびＱ３をオフとし、スイッチング素子Ｑ２およびＱ４をオンとする。一方、例えば照射対象物６が「精肉」である場合には、マイコン５１は、ＬＥＤ２、ＬＥＤ３とそれぞれ並列接続したスイッチング素子Ｑ２およびＱ３をオフとし、ＬＥＤ１、ＬＥＤ４とそれぞれ並列接続したスイッチング素子Ｑ１およびＱ４をオンとする。従って、照射対象物６が「精肉」である場合には、ＬＥＤ２およびＬＥＤ３が点灯し、ＬＥＤ１およびＬＥＤ４は点灯しない。
【００２６】
また、実施の形態１では、好ましい形態として、マイコン５１が、表２の右端欄に設定された値に従って、ＤＣ−ＤＣコンバータの制御ＩＣに対して制御信号を与えることで、ＤＣ−ＤＣコンバータの出力調整も行う。これにより、光源２０に供給すべき出力電流（表２のＩＦ欄）に関する制御も行う。具体的には、制御ＩＣは、マイコン５１からの制御信号に基づいて、ＤＣ−ＤＣコンバータのスイッチング素子Ｑ０のオン時間等を制御するように構成されている。例えば、マイコン５１は、照射対象物６が「精肉」あるいは「果物」である場合には、表２に従って出力電流「ＩＦ×２」、つまり「パン」および「鮮魚」のときの２倍の出力電流をＤＣ−ＤＣコンバータに生成させるように、制御ＩＣに制御信号を与える。これにより、ＬＥＤ１〜ＬＥＤ４に対する供給電流が増減され、照度（明るさ）も調整することができる。なお、照度の調整に関しては、調光器からの調光信号（ＰＷＭ信号）に基づいてスイッチング電源のスイッチング制御を調節する各種の調光制御技術が周知であるから、上記の表２において照射対象物６ごとの調光率を定めておいてもよい。
【００２７】
以上説明したように、実施の形態１にかかる照明装置１００によれば、マイコン５１の記憶部から読み出された情報に基づいて４種類のＬＥＤ１〜ＬＥＤ４に対してそれぞれ個別の電流を流し、ＬＥＤ１〜ＬＥＤ４をそれぞれ発光させてそれぞれの光を混色させることにより、適した照度と色温度の光を照射対象物６に照射することができる。例えば、照射対象物６が「パン」である場合には、ＬＥＤ１（色温度３０００ｋ）およびＬＥＤ３（色温度３５００ｋ）が点灯するので、これらの光が混色されて、目標色温度である３２５０ｋを実現することができる。
【００２８】
（切替スイッチ９による手動切替）
切替スイッチ９を用いて、照射対象物６に対する照射光を変更する場合について説明する。切替スイッチ９は、スイッチの信号が切り換えられたときに、その切替に応答してマイコン５１に信号を送り、スイッチ設定位置をマイコン５１に報知する。マイコン５１は、スイッチ設定位置が「自動」以外に設定された場合は、スイッチ設定位置ごとに予め定められた点灯制御を行う。
【００２９】
例えばパン・精肉・野菜・鮮魚の４種類が照射対象物６として想定される場合、これら４種類一つ一つのモードに加えて自動モードを含めた５種類のモードが設定される。切替スイッチ９をスライドすることにより、これら５種類のモードを切り換えることができる。切替スイッチ９を最も左端（図３の紙面左側端）にセットした場合はパンとなる。ここから逆側へスライドさせると、精肉、野菜、鮮魚の順にモードが切り替わる。逆側の端（図３の紙面右側端）にセットした場合は、切替スイッチ９による手動選択機能（つまり非自動制御）は無効となり、上述したイメージセンサ７による自動制御が行われる。
【００３０】
切替スイッチ９による手動制御は、イメージセンサ７を使用しない場合つまり自動制御が必要ないときに使用することもできるし、イメージセンサ７が適切に動作しない場合に自動制御を中止するために用いることもできる。
【００３１】
切替スイッチ９は、例えば食品を扱う店舗では、パン・精肉・野菜・鮮魚などの目印が記載されていることが好ましい。切替スイッチ９を動かして、例えば「パン」を指定すると、切替スイッチ９から、その「パン」を示す「パン指定情報」を含む信号がマイコン５１に送信される。なお、「パン指定情報」を含む信号は、切替スイッチ９が生成するように構成しても良く、あるいは点灯装置５で作成するように構成してもよい。
【００３２】
マイコン５１の記憶部には、予め複数種類の照射対象物６毎に対応する適切な照度と色温度、およびこれを実現するための点灯制御内容が記憶されている。切替スイッチ９からパンを示す情報を含む信号がマイコン５１に送信されると、マイコン５１は「パン」に適切な照度と色温度を記憶部から読み出し、照射すべき照射対象物６であるパンに対して、適切な光制御を行うことができるように点灯装置５を動作させる。本実施の形態では、マイコン５１は、記憶部から読み出したパンに対応する適切な照度と色温度をもとに、４種類のＬＥＤ１〜ＬＥＤ４に対して、それぞれ個別の電流を流してそれぞれ発光させ、それぞれの光を混色させることにより、照射すべき照射対象物６であるパンに対して適した照度と色温度の光を照射することができる。
【００３３】
以上説明したように、実施の形態１にかかる照明装置１００によれば、イメージセンサ７を使用することによって照明器具１０が照射している照射対象物６が何であるかを検出、判断し、その照射対象物６に対して適切な光を照射することができる。
【００３４】
また実施の形態１にかかる照明装置１００によれば、商品が入れ替わった場合であっても、切替スイッチ９により手動であるいはイメージセンサ７により自動的に、照射光を変更することができる。よって、照明器具１０の入れ替えをしなくとも済む。
【００３５】
（イメージセンサによる不審物／対象物不在の検知）
実施の形態１では、好ましい形態の一例として、イメージセンサ７が点灯装置５に搭載されているマイコン５１に記憶されていない不審なものを認識した場合、点灯装置５のマイコン５１は、その情報を含む不審物認識信号を管理端末８に送信する。不審物の認識は、例えば、不審物とすべき物体のイメージとイメージセンサ７の検知情報とを照合するものであっても良いし、例えば登録した照射対象物６のイメージのいずれにもイメージセンサ７の検知情報が合致しない場合に不審物と判定するものであっても良い。この不審物認識信号を受信した管理端末８は、端末画面にその情報を表示することで管理者に知らせる。これにより、不審物を早期にかつ精度良く発見することができる。
【００３６】
また、実施の形態１では、好ましい形態の他の一例として、イメージセンサ７が照射対象物６を認識できない場合などに、点灯装置５からその情報を含む対象物不在信号を管理端末８に送信する。対象物不在の判定は、例えば、登録した照射対象物６のイメージのいずれにもイメージセンサ７の検知情報が合致しない場合に対象物不在（商品が無い）と判断して対象物不在と判定するものであっても良い。また、イメージセンサ７の検知情報を、「対象物不在と判定するために予め定めた所定判定条件」と比較照合するものであっても良い。この所定判定条件は、例えば商品が空のとき、少ないとき、多いときそれぞれの商品ケース内部を撮像したときのイメージなどであってもよい。対象物不在信号を受信した管理端末８は、端末画面にその照射対象物６を認識できない旨の情報を表示することで管理者に知らせる。これにより、商品の売り切れを早期にかつ精度良く発見できる。これにより商品管理の利便性を高めることができる。
【００３７】
なお、上述した実施の形態では、光源２０が備えるＬＥＤは４個であり、その４個のＬＥＤ１〜ＬＥＤ４は、互いに別の種類つまり異なる色温度の光を発するものとした。しかしながら本発明はこれに限られない。光源２０が備えるＬＥＤの個数および種類は、必要に応じて色数を増やしたり減らしたりするように構成すればよい。光源２０には少なくとも２種類の互いに異なる色温度を有する複数のＬＥＤを設ければよい。なお、色温度の種類は少なくとも２種類とすればよく、４種類より多くしてもよいし少なくしてもよい。
【００３８】
なお、切替スイッチ９は例えば器具筐体下面（鍔部２１ａ）に設置された例を示したが、切替スイッチ９の取付位置はこれに限定されない。例えば、照明オン／オフあるいは調光が可能な壁掛スイッチに設置するように構成してもよいし、この壁掛けスイッチと同機能を持ったリモコンに設置してもよい。また、切替スイッチ９のスイッチ構造としては、操作を受け付ける様々な種類のスイッチを用いることができ、その方式、構造に限定はなく、例えばタッチパネル式、ＤＩＰスイッチ式、プッシュボタン式、あるいはロータリ式としてもよい。また切替スイッチ９を無線端末で構成する場合には、この無線端末は、専用端末（リモコン）でも良く、汎用端末（携帯端末、携帯電話などの）に制御用アプリケーションプログラムをインストールしたものであってもよい。
【００３９】
なお、上記実施の形態では、パン、精肉、果物、あるいは鮮魚を、照射対象物６の具体例として挙げた。しかしながら本発明はこれに限られない。例示したもの以外の食品を照射対象物６として選んでも良く、食品以外の商品を照射対象物６として選んでもよい。
【００４０】
実施の形態２．
実施の形態２にかかる照明装置１０２は、イメージセンサ７の取り付け構造を除き、実施の形態１にかかる照明装置１００と同じ器具構造および回路構成を備えている。したがって、以下の説明では実施の形態１と同一または相当する構成については同一の符号を付して説明を行うとともに、実施の形態１との相違点を中心に説明し、共通事項は説明を簡略化ないしは省略する。
【００４１】
図５は、実施の形態２を示す照明装置１０２のブロック図である。図６は、実施の形態２にかかる照明器具１０の斜視図である。実施の形態１では、照射対象物６を収納している収納ケースにイメージセンサ７を取り付ける場合について説明している。これに対し、実施の形態２では、イメージセンサ７を、照明器具１０に一体化、より具体的には光源２０付近に一体化する。具体的にはダウンライト筐体における反射カバー２１の内側面に、イメージセンサ７を取り付ける。実施の形態２にかかる照明器具１０の変形例としてダウンライト以外の照明器具に本発明を適用することもできるので、その場合には、ＬＥＤを内蔵した光源の周囲に設けられた反射板等に、イメージセンサ７を取り付けても良い。これにより、照明装置１０２を小型化できる。
【００４２】
なお、イメージセンサ７は、受光素子の受光方向が可変となるように、照明器具１０に対して配置角度可動に取り付けられていてもよい。具体的には、イメージセンサ７の筐体の後端部側（図６では反射カバー２１で隠れている部位）を、角度調整機構付きの取付金具を介して、反射カバー２１内面にあるいは照明器具１０の他の部位に取り付けてもよい。これにより、イメージセンサ７の筐体の前端部に設けた受光素子の向きを変更でき、イメージセンサ７の受光角度、検知範囲を調整することができる。その結果、照射対象物６が照明器具１０の直下に存在しなくても、イメージセンサ７を照射対象物６の側に向けることができ、照射対象物６の種別をイメージセンサ７で正確に検出、判別することができる。
【符号の説明】
【００４３】
１〜４  ＬＥＤ、５  点灯装置、６  照射対象物、７  イメージセンサ、８  管理端末、９  切替スイッチ、１０  照明器具、１１〜１３  コネクタ、２０  光源、２０ａ  透光カバー、２１  反射カバー、２１ａ  鍔部、５１  マイコン、１００、１０２  照明装置、ＤＢ  整流回路、Ｑ０、Ｑ１、Ｑ２、Ｑ３、Ｑ４  スイッチング素子、ＴＲ  トランス
【図１】
0006550871.tif 000004
【図２】
0006550871.tif 000005
【図３】
0006550871.tif 000006
【図４】
0006550871.tif 000007
【図５】
0006550871.tif 000008
【図６】
0006550871.tif 000009